(57)【要約】【課題】会議に使用されるデータのセキュリティを保ちながら、会議参加者同士で当該データをより容易に共有できるようにする。【解決手段】本発明の情報処理システムは、会議に使用するデータを会議毎に会議データ記憶領域に記憶するサーバー装置と、会議データ記憶領域に接続するクライアント装置とを備える情報処理システムである。クライアント装置は、会議毎の会議データ記憶領域を特定する第１識別情報と、クライアント装置を特定する第２識別情報とを含む参加情報を、サーバー装置に送信する参加情報送信部を備える。サーバー装置は、参加情報に含まれる第２識別情報を、参加情報に含まれる第１識別情報により特定される会議データ記憶領域を使用するクライアント装置として登録する登録部と、アクセストークンにより会議データ記憶領域への接続を制御するサーバー接続制御部と、を備える。【選択図】図１
2014179029.tif 000002
【特許請求の範囲】
【請求項１】
会議に使用するデータを会議毎に会議データ記憶領域に記憶するサーバー装置と、前記会議データ記憶領域に接続するクライアント装置とを備える情報処理システムであって、
前記クライアント装置は、
前記会議毎の会議データ記憶領域を特定する第１識別情報と、前記クライアント装置を特定する第２識別情報とを含む参加情報を、前記サーバー装置に送信する参加情報送信部と、
前記サーバー装置から、認証情報を含む通知を受信する通知受信部と、
前記認証情報を前記サーバー装置に送信し、前記認証情報に応じたアクセストークンを前記サーバー装置から受信するアクセストークン受信部と、
前記アクセストークンを使用して前記会議データ記憶領域に接続する接続部と、
を備え、
前記サーバー装置は、
前記参加情報に含まれる前記第２識別情報を、前記参加情報に含まれる前記第１識別情報により特定される会議データ記憶領域を使用する前記クライアント装置として登録する登録部と、
前記登録された第２識別情報を有する前記クライアント装置に、前記認証情報を含む通知を送信する通知部と、
前記認証情報を前記クライアント装置から受信し、前記認証情報に応じたアクセストークンを、前記認証情報を送信した前記クライアント装置に送信する認証部と、
前記アクセストークンにより前記会議データ記憶領域への接続を制御するサーバー接続制御部と、
を備える情報処理システム。
【請求項２】
前記サーバー装置は、
前記第１識別情報を含むコードを生成するコード生成部を更に備え、
前記クライアント装置は、
前記コードから前記第１識別情報を読み取るコード読取り部を更に備える
請求項１に記載の情報処理システム。
【請求項３】
前記サーバー接続制御部は、
前記アクセストークンの有効期限が切れている場合は、前記会議データ記憶領域への接続を拒否する
請求項１又は２に記載の情報処理システム。
【請求項４】
前記第１識別情報は、会議名である
請求項１乃至３のいずれか１項に記載の情報処理システム。
【請求項５】
前記第２識別情報は、前記クライアント装置毎に登録されているメールアドレスである
請求項１乃至４のいずれか１項に記載の情報処理システム。
【請求項６】
前記会議毎の会議データ記憶領域は、
前記サーバー装置のファイルシステムのフォルダ毎の記憶領域である
請求項１乃至５のいずれか１項に記載の情報処理システム。
【請求項７】
会議に使用するデータを会議毎に会議データ記憶領域に記憶するサーバー装置と、前記会議データ記憶領域に接続するプログラムとを備える情報処理システムであって、
前記プログラムは、
前記会議毎の会議データ記憶領域を特定する第１識別情報と、前記プログラムを特定する第２識別情報とを含む参加情報を、前記サーバー装置に送信する参加情報送信部と、
前記サーバー装置から、認証情報を含む通知を受信する通知受信部と、
前記認証情報を前記サーバー装置に送信し、前記認証情報に応じたアクセストークンを前記サーバー装置から受信するアクセストークン受信部と、
前記アクセストークンを使用して前記会議データ記憶領域に接続する接続部と、
を備え、
前記サーバー装置は、
前記参加情報に含まれる前記第２識別情報を、前記参加情報に含まれる前記第１識別情報により特定される会議データ記憶領域を使用する前記クライアント装置として登録する登録部と、
前記登録された第２識別情報を有する前記プログラムに、前記認証情報を含む通知を送信する通知部と、
前記認証情報を前記プログラムから受信し、前記認証情報に応じたアクセストークンを、前記認証情報を送信した前記プログラムに送信する認証部と、
前記アクセストークンにより前記会議データ記憶領域への接続を制御するサーバー接続制御部と、
を備える情報処理システム。
【請求項８】
会議に使用するデータを会議毎に会議データ記憶領域に記憶し、前記会議データ記憶領域に接続するクライアント装置と接続されるサーバー装置であって、
前記会議毎の会議データ記憶領域を特定する第１識別情報と、前記クライアント装置を特定する第２識別情報とを含む参加情報を前記クライアント装置から受信し、前記参加情報に含まれる前記第２識別情報を、前記参加情報に含まれる前記第１識別情報により特定される会議データ記憶領域を使用する前記クライアント装置として登録する登録部と、
前記登録された第２識別情報を有する前記クライアント装置に、前記認証情報を含む通知を送信する通知部と、
前記認証情報を前記クライアント装置から受信し、前記認証情報に応じたアクセストークンを、前記認証情報を送信した前記クライアント装置に送信する認証部と、
前記アクセストークンにより前記会議データ記憶領域への接続を制御するサーバー接続制御部と、
を備えるサーバー装置。
【請求項９】
会議に使用するデータを会議毎に会議データ記憶領域に記憶するサーバー装置と、前記会議データ記憶領域に接続するクライアント装置とを備える情報処理システムの情報処理方法であって、
前記クライアント装置が、前記会議毎の会議データ記憶領域を特定する第１識別情報と、前記クライアント装置を特定する第２識別情報とを含む参加情報を、前記サーバー装置に送信するステップと、
前記クライアント装置が、前記サーバー装置から、認証情報を含む通知を受信するステップと、
前記クライアント装置が、前記認証情報を前記サーバー装置に送信するステップと、
前記クライアント装置が、前記認証情報に応じたアクセストークンを前記サーバー装置から受信するステップと、
前記クライアント装置が、前記アクセストークンを使用して前記会議データ記憶領域に接続するステップと、
前記サーバー装置が、前記参加情報に含まれる前記第２識別情報を、前記参加情報に含まれる前記第１識別情報により特定される会議データ記憶領域を使用する前記クライアント装置として登録するステップと、
前記サーバー装置が、前記登録された第２識別情報を有する前記クライアント装置に、前記認証情報を含む通知を送信するステップと、
前記サーバー装置が、前記認証情報を前記クライアント装置から受信するステップと、  前記サーバー装置が、前記認証情報に応じたアクセストークンを、前記認証情報を送信した前記クライアント装置に送信するステップと、
前記サーバー装置が、前記アクセストークンにより前記会議データ記憶領域への接続を制御するステップと、
を含む情報処理方法。
【請求項１０】
会議に使用するデータを会議毎に会議データ記憶領域に記憶し、前記会議データ記憶領域に接続するクライアント装置と接続されるコンピュータを、
前記会議毎の会議データ記憶領域を特定する第１識別情報と、前記クライアント装置を特定する第２識別情報とを含む参加情報を前記クライアント装置から受信し、前記参加情報に含まれる前記第２識別情報を、前記参加情報に含まれる前記第１識別情報により特定される会議データ記憶領域を使用する前記クライアント装置として登録する登録部と、
前記登録された第２識別情報を有する前記クライアント装置に、前記認証情報を含む通知を送信する通知部と、
前記認証情報を前記クライアント装置から受信し、前記認証情報に応じたアクセストークンを、前記認証情報を送信した前記クライアント装置に送信する認証部と、
前記アクセストークンにより前記会議データ記憶領域への接続を制御するサーバー接続制御部と、
として機能させるためのプログラム。
【発明の詳細な説明】
【技術分野】
【０００１】
本発明は、情報処理システム、サーバー装置、情報処理方法及びプログラムに関する。
【背景技術】
【０００２】
会議において、参加者が参照する資料の印刷に関する技術や、会議の実際の出席者を把握するための技術が知られている。本発明に関連する文献公知発明としては、特許文献１がある。特許文献１には、会議で使用する必要十分な数の資料の印刷を行うことと、会議の実際の出席者を正確かつ容易に把握することを目的とした会議資料配布システムの発明が開示されている。
【発明の概要】
【発明が解決しようとする課題】
【０００３】
しかしながら、プリンターに出力されるデータだけではなく、プロジェクターへ出力されるデータ、スキャナから読み込まれるデータ、及びコンピュータで参照されるデータなども含むデータのセキュリティを保ちながら、会議参加者同士で当該データを容易に共有することができなかった。
【０００４】
本発明は、上記に鑑みてなされたものであって、会議に使用されるデータのセキュリティを保ちながら、会議参加者同士で当該データをより容易に共有することができる情報処理システム、サーバー装置、情報処理方法及びプログラムを提供することを目的とする。
【課題を解決するための手段】
【０００５】
上述した課題を解決し、目的を達成するために、本発明の情報処理システムは、会議に使用するデータを会議毎に会議データ記憶領域に記憶するサーバー装置と、前記会議データ記憶領域に接続するクライアント装置とを備える情報処理システムであって、前記クライアント装置は、前記会議毎の会議データ記憶領域を特定する第１識別情報と、前記クライアント装置を特定する第２識別情報とを含む参加情報を、前記サーバー装置に送信する参加情報送信部と、前記サーバー装置から、認証情報を含む通知を受信する通知受信部と、前記認証情報を前記サーバー装置に送信し、前記認証情報に応じたアクセストークンを前記サーバー装置から受信するアクセストークン受信部と、前記アクセストークンを使用して前記会議データ記憶領域に接続する接続部と、を備え、前記サーバー装置は、前記参加情報に含まれる前記第２識別情報を、前記参加情報に含まれる前記第１識別情報により特定される会議データ記憶領域を使用する前記クライアント装置として登録する登録部と、前記登録された第２識別情報を有する前記クライアント装置に、前記認証情報を含む通知を送信する通知部と、前記認証情報を前記クライアント装置から受信し、前記認証情報に応じたアクセストークンを、前記認証情報を送信した前記クライアント装置に送信する認証部と、前記アクセストークンにより前記会議データ記憶領域への接続を制御するサーバー接続制御部と、を備える。
【発明の効果】
【０００６】
本発明によれば、会議に使用されるデータのセキュリティを保ちながら、会議参加者同士で当該データをより容易に共有することができるという効果を奏する。
【図面の簡単な説明】
【０００７】
【図１】図１は、本実施の形態の情報処理システムの機能ブロックの一例を示す図である。
【図２】図２は、本実施の形態の情報処理システムのハードウェアの接続関係の一例を示す図である。
【図３】図３は、本実施の形態のクライアント接続制御部の機能ブロックの一例を示す図である。
【図４】図４は、本実施の形態の情報処理方法の一例を説明するためのフローチャートである。
【図５】図５は、本実施の形態のサーバー装置のハードウェア構成の一例を示す図である。
【発明を実施するための形態】
【０００８】
以下に添付図面を参照して、情報処理システム、サーバー装置、情報処理方法及びプログラムの実施の形態を詳細に説明する。図１は、本実施の形態の情報処理システム１００の機能ブロックの一例を示す図である。本実施形態の情報処理システム１００は、サーバー装置１０、クライアント装置２０、プリンター４０、プロジェクター５０、スキャナ６０及びＰＣ（Ｐｅｒｓｏｎａｌ  Ｃｏｍｐｕｔｅｒ）７０を備える。
【０００９】
図２は、本実施の形態の情報処理システム１００のハードウェアの接続関係の一例を示す図である。本実施の形態の情報処理システム１００では、サーバー装置１０、クライアント装置２０、プリンター４０、プロジェクター５０、スキャナ６０及びＰＣ７０が、ネットワーク８０により互いに接続されている。
【００１０】
なお、ネットワーク８０の通信方式は、有線方式であっても無線方式であってもよい。また、ネットワーク８０は、有線方式及び無線方式を組み合わせて実現してもよい。なお、情報処理システム１００は、クライアント装置２０、プリンター４０、プロジェクター５０、スキャナ６０及びＰＣ７０を、それぞれ複数備えていてもよい。例えば、クライアント装置２０を複数備え、複数のユーザーが同時にサーバー装置１０と通信してもよい。また、サーバー装置１０を、負荷分散などの理由により、複数台で構成してもよい。
【００１１】
図１に戻り、サーバー装置１０は、コード生成部１１、登録部１２、通知部１３、認証部１４、サーバー接続制御部１５及び記憶部１６を備える。記憶部１６は、会議データ及び認証情報を記憶する。会議データは、会議に使用されるデータである。認証情報については後述する。サーバー装置１０は、会議データを会議毎に会議データ記憶領域に記憶する。会議データは、例えば、会議主催者などが、スキャナ６０に読み込ませた画像データや、ＰＣ７０からアップロードしたデータなどである。会議毎の会議データ記憶領域は、例えば、サーバー装置１０のファイルシステムのフォルダ毎の記憶領域である。クライアント装置２０は、コード読取り部２１、クライアント接続制御部２２、通知受信部２３及び記憶部２４を備える。クライアント装置２０は、サーバー装置１０の会議毎の会議データ記憶領域に接続するための装置である。
【００１２】
コード生成部１１は、第１識別情報を含むコードを生成する。第１識別情報は、会議毎の会議データ記憶領域を特定するための情報である。第１識別情報は、例えば、会議名である。また、コードは、例えば、ＱＲコード（登録商標）である。
【００１３】
プリンター４０は、コード生成部１１からコードを受信する。そして、プリンター４０は、受信したコードを印刷する。コード読取り部２１は、プリンター４０により印刷されたコードを読取り、第１識別情報を取得する。コード読取り部２１は、例えば、カメラである。クライアント接続制御部２２は、コード読取り部２１から第１識別情報を受信する。次に、クライアント接続制御部２２は、記憶部２４から第２識別情報を読み出す。第２識別情報は、クライアント装置２０を特定する情報である。第２識別情報は、例えば、メールアドレスである。次に、クライアント接続制御部２２は、会議毎の会議データ記憶領域を特定する第１識別情報と、クライアント装置を特定する第２識別情報とを含む情報（以下、「参加情報」という。）を、サーバー装置１０に送信する。
【００１４】
サーバー装置１０の登録部１２は、第１及び２識別情報を含む参加情報を受信する。次に、登録部１２は、第１識別情報により記憶部１６の会議毎の会議データ記憶領域（例えば、サーバー装置１０のファイルシステムのフォルダ）を特定する。次に、登録部１２は、特定された会議毎の会議データ記憶領域に、第２識別情報を記憶する。例えば、登録部１２は、第２識別情報を、当該会議に使用するクライアント装置２０を表すリスト形式で記憶（登録）する。通知部１３は、認証部１４に第１識別情報を送信する。認証部１４は、通知部１３から受信した第１識別情報に応じた認証情報を生成する。本実施形態の情報処理システム１００では、認証情報と第１識別情報を１対１に対応させる。認証情報は、例えば、認証ＩＤである。認証部１４は、認証情報を記憶部１６に記憶するとともに、当該認証情報を通知部１３に送信する。通知部１３は、認証部１４から受信した認証情報を、第２識別情報を使用して通知受信部２３に送信する。通知部１３及び通知受信部２３は、サーバー装置１０及びクライアント装置２０のメール機能を利用して実現してもよい。しかしながら、通知部１３及び通知受信部２３による認証情報の送受信は、メール以外の方法で行ってもよい。クライアント接続制御部２２は、通知受信部２３から受信した認証情報を記憶部２４に記憶する。
【００１５】
クライアント装置２０が、ユーザーの操作等に応じて認証情報の入力を受けると、クライアント接続制御部２２が、認証部１４に認証情報を送信する。なお、クライアント接続制御部２２は、入力された認証情報が、記憶部２４に記憶されている場合に、認証部１４に認証情報を送信する。認証部１４は、クライアント装置２０から受信した認証情報に応じた第１識別情報を記憶部１６から読み出す。次に、認証部１４は、第１識別情報により特定される記憶部１６の会議データ記憶領域に接続するためのアクセストークンを生成する。次に、認証部１４は、当該アクセストークンをクライアント接続制御部２２に送信する。クライアント接続制御部２２は、認証部１４から受信したアクセストークンを、サーバー接続制御部１５に送信する。なお、クライアント接続制御部２２は、当該アクセストークンをサーバー接続制御部１５にすぐに送信せずに記憶部２４に記憶してもよい。そして、クライアント装置２０のユーザーの操作に応じて、当該アクセストークンをサーバー接続制御部１５に送信してもよい。
【００１６】
サーバー接続制御部１５は、クライアント接続制御部２２から受信したアクセストークンが有効であるか否かに基づいて、当該アクセストークンに応じた第１識別情報により特定される会議データ記憶領域に、クライアント装置２０を接続させる。なお、サーバー接続制御部１５は、当該アクセストークンから、所定のアルゴリズムにより、第１識別情報を抽出（復元）してもよい。
【００１７】
アクセストークンが有効でない場合は、例えば、アクセストークンの有効期限が切れている場合などである。なお、アクセストークンの有効期限は任意に定めてよい。例えば、アクセストークンの発行日から２４時間や、１週間などである。また、アクセストークンの有効期限は、サーバー装置１０の管理者や会議の主催者などが適宜、変更できるようにしてもよい。例えば、会議日から３日間は会議データを参照できるようにするなどの理由で、アクセストークンの有効期限を変更してもよい。これにより、会議終了後の会議データの取得などにも対応することができる。
【００１８】
会議データ記憶領域に接続されたクライアント装置２０は、クライアント接続制御部２２により、当該会議データ記憶領域の会議データをダウンロードすることができる。クライアント接続制御部２２は、当該ダウンロードされた会議データを、ＰＣ７０に送信することにより、ＰＣ７０で当該会議データを参照することができる。また、クライアント接続制御部２２は、当該ダウンロードされた会議データを、プロジェクター５０に送信することにより、プロジェクター５０から投影することができる。
【００１９】
また、会議データ記憶領域に接続されたクライアント装置２０は、当該会議データ記憶領域に新しいデータをアップロードすることができる。
【００２０】
なお、会議データ記憶領域の参照方法は、任意の方法でよい。例えば、ＨＴＴＰ（ＨｙｐｅｒＴｅｘｔ  Ｔｒａｎｓｆｅｒ  Ｐｒｏｔｏｃｏｌ）や、サーバー装置１０のＯＳ（Ｏｐｅｒａｔｉｎｇ  Ｓｙｓｔｅｍ）に依存する独自プロトコルなどを利用してもよい。
【００２１】
また、上述の説明では、クライアント装置２０は、コード読取り部２１により、第１識別情報を取得した。しかしながら、クライアント装置２０は、第１識別情報を他の方法により取得してもよい。例えば、ＮＦＣ（Ｎｅａｒ  Ｆｉｅｌｄ  Ｃｏｍｍｕｎｉｃａｔｉｏｎ）などを利用してもよい。
【００２２】
図３は、本実施の形態のクライアント接続制御部２２の機能ブロックの一例を示す図である。本実施の形態のクライアント接続制御部２２は、参加情報送信部３１、アクセストークン受信部３２及び接続部３３を備える。参加情報送信部３１は、会議毎の会議データ記憶領域を特定する第１識別情報と、クライアント装置２０を特定する第２識別情報とを含む参加情報を、サーバー装置１０に送信する。アクセストークン受信部３２は、認証情報をサーバー装置１０に送信し、当該認証情報に応じたアクセストークンをサーバー装置１０から受信する。接続部３３は、アクセストークンを使用して記憶部１６の会議データ記憶領域に接続する。
【００２３】
図４は、本実施の形態の情報処理方法の一例を説明するためのフローチャートである。コード生成部１１は、第１識別情報を含むコードを生成する（ステップＳ１）。プリンター４０は、コード生成部１１からコードを受信し、当該コードを印刷する（ステップＳ２）。コード読取り部２１は、プリンター４０により印刷されたコードを読取り、第１識別情報を取得する（ステップＳ３）。クライアント接続制御部２２は、当該第１識別情報と、記憶部２４に記憶されていた第２識別情報を含む参加情報をサーバー装置１０に送信する（ステップＳ４）。
【００２４】
サーバー装置１０の登録部１２は、第１識別情報により記憶部１６の会議毎の会議データ記憶領域を特定する（ステップＳ５）。例えば、第１識別情報が会議名であり、会議毎の会議データ記憶領域が、サーバー装置１０のファイルシステムのフォルダであり、フォルダ名に会議名が使用されている場合、第１識別情報により記憶部１６の会議毎の会議データ記憶領域を特定することができる。なお、第１識別情報は、会議名に限られず、任意の情報でよい。同様に、会議毎の会議データ記憶領域は、サーバー装置１０のファイルシステムのフォルダに限られない。次に、登録部１２は、第２識別情報を、当該会議に使用されるクライアント装置２０として、第１識別情報により特定される会議毎の会議データ記憶領域に記憶（登録）する（ステップＳ６）。認証部１４は、第１識別情報に応じた認証情報を生成し、当該認証情報を、第２識別情報を使用してクライアント装置２０に送信する（ステップＳ７）。
【００２５】
クライアント装置２０の通知受信部２３は、サーバー装置１０から認証情報を受信する（ステップＳ８）。クライアント装置２０が、ユーザーの操作等に応じて認証情報の入力を受けると、クライアント接続制御部２２が、サーバー装置１０に認証情報を送信する（ステップＳ９）。サーバー装置１０の認証部１４は、第１識別情報により特定される記憶部１６の会議データ記憶領域に接続するためのアクセストークンを、クライアント装置２０に送信する（ステップＳ１０）。クライアント装置２０のクライアント接続制御部２２は、サーバー装置１０から受信したアクセストークンを使用してサーバー装置１０に接続する（ステップＳ１１）。
【００２６】
サーバー装置１０のサーバー接続制御部１５は、クライアント装置２０から受信したアクセストークンが有効であるか否かを判定する（ステップＳ１２）。アクセストークンが有効である場合（ステップＳ１２、Ｙｅｓ）、サーバー接続制御部１５は、当該アクセストークンに応じた会議データ記憶領域に、当該アクセストークンを送信したクライアント装置２０を接続させる（ステップＳ１３）。アクセストークンが有効でない場合（ステップＳ１２、Ｎｏ）、接続を拒否して処理を終了する。
【００２７】
図５は、本実施の形態のサーバー装置１０及びクライアント装置２０のハードウェア構成の一例を示す図である。
【００２８】
本実施の形態のサーバー装置１０及びクライアント装置２０は、制御装置８１、主記憶装置８２、補助記憶装置８３、表示装置８４、入力装置８５及び通信装置８６を備える。制御装置８１、主記憶装置８２、補助記憶装置８３、表示装置８４、入力装置８５及び通信装置８６は、バス８７を介して互いに接続されている。以下、サーバー装置１０が、ＰＣなどと同じ構成のコンピュータであり、クライアント装置２０がスマートデバイスなどである場合について説明する。なお、サーバー装置１０及びクライアント装置２０は、ＰＣやスマートデバイスに限られず、プログラムを実行することができる任意のコンピュータでよい。
【００２９】
制御装置８１は、補助記憶装置８３から主記憶装置８２に読み出されたプログラムを実行する。主記憶装置８２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリである。補助記憶装置８３は、例えば、サーバー装置１０の場合は、ハードディスク等である。また、クライアント装置２０の場合は、メモリカード等である。表示装置８４は、サーバー装置１０及びクライアント装置２０の状態等を表示する画面である。表示装置８４は、例えば、サーバー装置１０の場合は、液晶ディスプレイ等である。また、クライアント装置２０の場合は、タッチパネル等である。入力装置８５は、サーバー装置１０及びクライアント装置２０を操作するためのインターフェースである。入力装置８５は、例えば、サーバー装置１０の場合は、キーボードやマウス等である。また、クライアント装置２０の場合は、タッチパネルやボタン等である。通信装置８６は、ネットワークに接続するためのインターフェースである。
【００３０】
本実施の形態のサーバー装置１０及びクライアント装置２０で実行されるプログラムを、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記録媒体に記録し、コンピュータ・プログラム・プロダクトとして提供してもよい。また、本実施の形態のサーバー装置１０及びクライアント装置２０で実行されるプログラムを、インターネット等のネットワークに接続されたコンピュータ上に格納し、ネットワーク経由でダウンロードさせることにより提供してもよい。また、本実施の形態のサーバー装置１０及びクライアント装置２０で実行されるプログラムをダウンロードさせずに、インターネット等のネットワーク経由で提供、又は配布してもよい。また、本実施の形態のサーバー装置１０及びクライアント装置２０のプログラムを、ＲＯＭ等に予め組み込んで提供してもよい。
【００３１】
本実施の形態のサーバー装置１０で実行されるプログラムは、上述したサーバー装置１０の各機能ブロックのうち、プログラムとしても実現可能な機能ブロック（コード生成部１１、登録部１２、通知部１３、認証部１４及びサーバー接続制御部１５）を含むモジュール構成となっている。
【００３２】
また、本実施の形態のクライアント装置２０で実行されるプログラムは、上述したクライアント装置２０の各機能ブロックのうち、プログラムとしても実現可能な機能ブロック（クライアント接続制御部２２（参加情報送信部３１、アクセストークン受信部３２及び接続部３３）及び通知受信部２３）を含むモジュール構成となっている。
【００３３】
当該モジュールは、実際のハードウェアとしては、制御装置８１が上記記憶媒体からプログラムを読み出して実行することにより、上記各モジュールが主記憶装置８２上にロードされる。すなわち、上記各モジュールは、主記憶装置８２上に生成される。なお、サーバー装置１０及びクライアント装置２０の各機能ブロックの一部、又は全部を、プログラムにより実現せずに、ＩＣ（Ｉｎｔｅｇｒａｔｅｄ  Ｃｉｒｃｕｉｔ）等のハードウェアにより実現してもよい。
【００３４】
本実施の形態の情報処理システム１００によれば、会議に使用されるデータのセキュリティを保ちながら、会議参加者同士で当該データをより容易に共有することができる。例えば、会議中に、参加者のクライアント装置２０から会議データ記憶領域に追加された資料を、セキュリティが保たれた状態で、会議参加者同士で共有することができる。また、プリンターに出力されるデータだけではなく、プロジェクターへ出力されるデータ、スキャナから読み込まれるデータ、及びコンピュータで参照されるデータなども含むデータについても、セキュリティを保ちながら、会議参加者同士で当該データをより容易に共有することができる。
【符号の説明】
【００３５】
１０  サーバー装置
１１  コード生成部
１２  登録部
１３  通知部
１４  認証部
１５  サーバー接続制御部
１６  記憶部
２０  クライアント装置
２１  コード読取り部
２２  クライアント接続制御部
２３  通知受信部
２４  記憶部
３１  参加情報送信部
３２  アクセストークン受信部
３３  接続部
４０  プリンター
５０  プロジェクター
６０  スキャナ
７０  ＰＣ
８０  ネットワーク
８１  制御装置
８２  主記憶装置
８３  補助記憶装置
８４  表示装置
８５  入力装置
８６  通信装置
８７  バス
１００  情報処理システム
【先行技術文献】
【特許文献】
【００３６】
【特許文献１】特開２００６−２４４３５８号公報
【図１】
2014179029.tif 000003
【図２】
2014179029.tif 000004
【図３】
2014179029.tif 000005
【図４】
2014179029.tif 000006
【図５】
2014179029.tif 000007